(57)【要約】      （修正有）【課題】素早く手を乾かすと共に、手から吹き飛ばされた水滴を効率よく回収及び排出できるハンドドライヤーを提供する。【解決手段】駆動部２０により外気をダクト３０を通じてノズル３１に噴射して手を乾かすハンドドライヤーにおいて、上面が円形に形成されると共に上側と下側が開口され手乾燥部の形成された本体１０と、手乾燥部に結合されると共に円形に形成され、内側に多数のノズル３１が形成され、外側に空気流入口が形成されたノズルダクト３０と、駆動部２０とノズルダクト３０とを連結して駆動部２０から発生する圧縮空気をノズルダクト３０に供給する連結管４０と、駆動部２０を制御する制御モジュールとを備える。【選択図】図２
2011104377.tif 000002
【特許請求の範囲】
【請求項１】
駆動部により外気をダクトを通じてノズルに噴射して手を乾かすハンドドライヤーにおいて、
上面が円形に形成されると共に上側と下側が開口された手乾燥部が形成された本体と、
手乾燥部に結合されると共にリング状に形成され、内側に多数のノズルが形成されるノズルダクトと、
駆動部とノズルダクトとを連結して、駆動部から発生する圧縮空気をノズルダクトに供給する連結管と、
駆動部を駆動制御する制御モジュールと、
前記手乾燥部の内側にユーザの手が進入することを検出するセンサと、
を備えて構成されることを特徴とするハンドドライヤー。
【請求項２】
前記本体の下側には水を溜めるための溝の形成された水受け部が形成されることを特徴とする請求項１に記載のハンドドライヤー。
【請求項３】
前記水受け部には水を吸収するためのパッドが備えられることを特徴とする請求項２に記載のハンドドライヤー。
【請求項４】
前記ノズルダクトに形成された多数のノズルは、排出される圧縮空気が下側に向かうように形成されることを特徴とする請求項１に記載のハンドドライヤー。
【請求項５】
駆動部によって外気をダクトを通じてノズルに噴射して手を乾かすハンドドライヤーにおいて、
上面が円形に形成されると共に上側と下側が開口された手乾燥部が形成される本体と、
手乾燥部に結合されると共にリング状に形成され、内側に多数のノズルが形成される多数のノズルダクトと、
前記ノズルダクトの流入口にそれぞれ設けられて、前記ノズルダクトに流入される圧縮空気を選択的に開閉させる多数のバルブと、
駆動部で生成された圧縮空気を多数のノズルダクトに提供する連結管と、
駆動部を制御する制御モジュールと、
手乾燥部の内側にユーザの手が進入することを検出するためのセンサと、
を備えて構成されることを特徴とするハンドドライヤー。
【請求項６】
前記本体の下側には水を溜めるための溝の形成される水受け部が形成されることを特徴とする請求項５に記載のハンドドライヤー。
【請求項７】
前記水受け部には水を吸収するためのパッドが備えられることを特徴とする請求項５に記載のハンドドライヤー。
【請求項８】
前記ノズルダクトに形成された多数のノズルは排出される圧縮空気が下側に向かうように形成されることを特徴とする請求項５に記載のハンドドライヤー。
【請求項９】
前記手乾燥部には多数のバルブとそれぞれ連動して動作する多数の表示灯がさらに備えられることを特徴とする請求項５に記載のハンドドライヤー。
【請求項１０】
前記多数のノズルダクトはバルブによって上側のノズルダクトから下側のノズルダクトに順次駆動されることを特徴とする請求項５に記載のハンドドライヤー。
【発明の詳細な説明】
【技術分野】
【０００１】
本発明はハンドドライヤーに係り、より詳しくはユーザの手を素早く乾燥することができ、手から吹き飛ばされた水滴を効率よく回収及び排出できるハンドドライヤーに関する。
【背景技術】
【０００２】
人間は清潔を保つために顔や手を洗う。手の場合は一日数回以上洗うこともあり、手洗いの後にはタオルを使って手の水気を拭き取る。
一方、一般のビルや公共施設などに設けられたトイレの場合には、必要に応じて、手を洗った後、手の水気を取るようにペーパータオルが具備されている。しかし、このようなペーパータオルは使い捨てであることから、資源の浪費を強いるのみならず、交換・補充などの持続的なメンテナンスを必要とする短所がある。
最近、公衆トイレの壁面にはペーパータオルの代わりに、圧縮空気を用いて手の水気を取るハンドドライヤーが設けられている。
既存のハンドドライヤーは、一般的にモータに結合されているファンを回転させて外気を流入させた後、この外気を所定の温度まで上昇させて排出する熱風装置を本体内に設け、本体に形成された開放口を通じて熱風を外部に排出するように構成されている。
【０００３】
前述した構造よりなるハンドドライヤーについては、韓国特許登録第５４４４１３号に記載されているが、この特許第５４４４１３号は次のような問題点を抱えている。
１．  ハンドドライヤーは手を挿入して乾燥させる乾燥部の両側が開放されている。このため、ノズルを通じて噴射される空気が開放部に排出されることによって、効率よく手を乾燥できない。
２．  手の乾燥時吹き飛ばされた水滴が開放部に排出される空気と共に開放部を通じてハンドドライヤーの外部に排出される。
３．  ハンドドライヤーの内部に手の乾燥時排出される水滴を溜めるための水受け部が備えられているが、このような水受け部に溜まった水は長時間後には悪臭を発生させることになり、この水受け部に溜まった水を頻繁に確認して捨てる手間がかかる。
【先行技術文献】
【特許文献】
【０００４】
【特許文献１】韓国特許登録第５４４４１３号
【特許文献２】特開２００４−２３６７１４号公報
【発明の概要】
【発明が解決しようとする課題】
【０００５】
本発明は前述した事情に鑑みてなされたものであって、本発明の目的は、ハンドドライヤーを使用して手を乾かす時、一層素早く手を乾燥すると共に、手から吹き飛ばされた水滴を一層効率よく回数及び排出できるハンドドライヤーを提供することにある。
【課題を解決するための手段】
【０００６】
本発明のハンドドライヤーは、駆動部により外気をダクトを通じてノズルに噴射して手を乾かすハンドドライヤーにおいて、上面が円形に形成されると共に上側と下側が開口された手乾燥部が形成された本体と、手乾燥部に結合されると共にリング状に形成され、内側に多数のノズルが形成されるノズルダクトと、駆動部とノズルダクトとを連結して、駆動部から発生する圧縮空気をノズルダクトに供給する連結管と、駆動部を駆動制御する制御モジュールと、前記手乾燥部の内側にユーザの手が進入することを検出するセンサと、を備えて構成されることを特徴とする。
【０００７】
前記本体の下側には水を溜めるための溝の形成された水受け部が形成され、前記水受け部には水を吸収するためのパッドが備えられることを特徴とする。
【０００８】
前記ノズルダクトに形成された多数のノズルは、排出される圧縮空気が下側に向かうように形成され、バルブによって上側のノズルダクトから下側のノズルダクトに順次駆動されることを特徴とする。
【０００９】
また、本発明は、駆動部によって外気をダクトを通じてノズルに噴射して手を乾かすハンドドライヤーにおいて、上面が円形に形成されると共に上側と下側が開口された手乾燥部が形成される本体と、手乾燥部に結合されると共にリング状に形成され、内側に多数のノズルが形成される多数のノズルダクトと、前記ノズルダクトの流入口にそれぞれ設けられて、前記ノズルダクトに流入される圧縮空気を選択的に開閉させる多数のバルブと、駆動部で生成された圧縮空気を多数のノズルダクトに提供する連結管と、駆動部を制御する制御モジュールと、手乾燥部の内側にユーザの手が進入することを検出するためのセンサと、を備えて構成されることを特徴とする。
【００１０】
前記手乾燥部には多数のバルブとそれぞれ連動して動作する多数の表示灯がさらに備えられることを特徴とする。
【発明の効果】
【００１１】
本発明のハンドドライヤーによれば、ユーザの手を一層迅速に乾かすことができることは勿論、手から吹き飛ばされた水滴を効率よく回収及び排出することができる。
【図面の簡単な説明】
【００１２】
【図１】本発明の一実施形態によるハンドドライヤーの斜視図である。
【図２】図１に示されたハンドドライヤーの側断面図である。
【図３】本発明の他の実施形態によるハンドドライヤーの側断面図である。
【発明を実施するための形態】
【００１３】
以下、図面に基づき本発明に係る実施形態について詳述する。
図１は本発明の一実施形態に係るハンドドライヤーの斜視図であり、図２は図１に示されたハンドドライヤーの側断面図である。
本発明に係るハンドドライヤーは、本体１０と、本体１０に結合されて外気を流入する駆動部２０と、駆動部２０から空気を流入されて噴射するノズルダクト３０と、ノズルダクト３０と駆動部２０とを連結する連結管４０と、を備えて構成される。
本体１０はその上側が円板形状に形成され、その内部には手を乾かすための手乾燥部１１が形成される。従って、ハンドドライヤーの上側形状がドーナッツ形状よりなる。手乾燥部１１は上側と下側とが開放された形状である。
【００１４】
本体１０の下側は手乾燥部１１の方向にその先端が突出されると共に、その上面に溝１２ａの形成された水受け部１２が備えられる。水受け部１２には水を吸収するためのパッド１２ｂが備えられる。
本体の手乾燥部１１には手乾燥部１１に向かって空気を噴射する多数のノズル３１の形成されたノズルダクト３０が備えられる。ノズル３１の上側には手乾燥部１１内にユーザの手が入り込むことを感知する感知センサ１３が備えられる。
そして、本体１０の上面にはハンドドライヤーの動作状態を示す表示部５０が備えられる。
本体１０の一側にはハンドドライヤーの内部に空気を流入するための空気流入口１１ａが形成される。この空気流入口１１ａには、図面に詳しく図示していないが、ハンドドライヤーの内部に空気を流入するための駆動部２０が結合される。
【００１５】
そして、本体１０には駆動部２０を結合するための結合突起（図示せず）が形成される。前記結合突起には別の振動防止部材を通じて駆動部２０が締結される。
本体１０の上端内側にはＰＣＢ基板６０が取り付けられている。このＰＣＢ基板６０にはハンドドライヤーの駆動を制御するための制御モジュールが実装される。
駆動部２０は駆動部ケース２１と、駆動部ケース２１の内部に備えられると共に、回転軸にファンの付いているモータ２２を備えて構成される。そして、駆動部ケース２１の内部には駆動部２０に流入される空気の騒音をフィルタリングするための防音板２４及び防音フィルタ２５が備えられる。
駆動部ケース２１の一側端には空気排出管２１ａが形成され、その反対側の一端には空気流入管２１ｂが形成される。空気排出管２１ａには連結管４０が締結される。
ノズルダクト３０は、本体１０に形成された手乾燥部１１の形状と同じく、リング状に形成される。
【００１６】
ノズルダクト３０の内側には下方に傾斜して形成された多数のノズル３１が形成される。そして、ノズルダクト３０の外側一端にはノズルダクト３０に空気を流入するための流入口３２が形成される。流入口３２には連結管４０が結合され駆動部２０から排出された空気が連結管４０を通じてノズルダクト３０に流入される。
ノズルダクト３０は本体１０に別の締結部材を通じて結合するか、超音波融着を通じて締結される。ノズルダクト３０は駆動部２０を通じて流入される空気を圧縮するための圧縮空間を確保するために具備されたものである。
連結管４０は軟質のフレキシブル管で形成される。連結管４０の一端は駆動部２０に締結され、他端はノズルダクト３０に締結される。従って、駆動部２０によって流入された空気が連結管４０を通じてノズルダクト３０に流入され、ノズルダクト３０で圧縮された空気は多数のノズル３１を通じて噴射される。
【００１７】
前述した構成よりなるハンドドライヤーは、ユーザが手乾燥部に手を挿入すれば、これがセンサ１３で検出され、その検出信号がＰＣＢ基板６０上に具備されている制御モジュールに印加される。制御モジュールはモータ２２を駆動してファンを稼動することによって、連結管４０に圧縮空気を供給する。前述したように連結管４０に供給された圧縮空気は、ノズルダクト３０でもう一度圧縮され、このように圧縮された空気はノズル３１を通じて外部、すなわち手乾燥部１１に放出される。
リング状のノズルダクト３０に配列された多数のノズル３１を通じて圧縮空気が手乾燥部１１内に引き込まれた手に全体として噴射される。この際、傾斜して形成されたノズルによって空気が下側に傾斜して噴射され、ユーザの手の水滴が滴下するようになり、この滴下した水滴は本体１０の下側に形成された水受け部１２に回収される。水受け部１２に流入された水は水受け部１２に備えられたパッド１２ｂに吸収される。
従って、本発明によれば、ノズル３１から排出される圧縮空気が手乾燥部の外側に抜け出ず、ユーザの手を包みながら手乾燥部の下側に強く排出されるので、ユーザの手を極めて素早く乾かすことができる。
また、手から吹き飛ばされた水滴は手乾燥部の下側に排出される空気と共にハンドドライヤーの下側に排出され、ハンドドライヤーの下側に形成された水受け部１２に回収されるので、ハンドドライヤーの外部に水滴が飛散する現象がなくなる。
【００１８】
図３は本発明の他の実施形態に係るハンドドライヤーの側断面図である。
本実施形態に係るハンドドライヤーは、手乾燥部１１に多数のノズルダクト３０が備えられる。本実施形態ではノズルダクト３０に第１ないし第３ノズルダクト３０ａ、３０ｂ、３０ｃが備えられる。勿論、このようなノズルダクトの個数は特定な値に限定されない。そして、これらノズルダクト３０ａ〜３０ｃと連結管４０との間にはそれぞれノズルダクト３０ａ〜３０ｃに流入される空気を制御するためのバルブ（７０；７０ａ〜７０ｃ）が備えられる。この際、バルブ７０としては、例えば電磁式制御の可能なソレノイドバルブが使われる。
【００１９】
そして、第１〜第３ノズルダクト３０ａ〜３０ｃの下方にはノズルダクト３０ａ〜３０ｃの動作状態を表示するための表示灯（８０：８０ａ〜８０ｃ）がそれぞれ備えられる。これら表示灯８０ａ〜８０ｃはそれぞれ第１バルブないし第３バルブ７０ａ〜７０ｃとそれぞれ連動される。
本実施形態のハンドドライヤーは、利用者が手乾燥部に手を挿入すれば、第１〜第３ノズルダクト３０ａ〜３０ｃが順次に駆動される。すなわち、ユーザの手が手乾燥部１１に進入したことがセンサ１３によって検出されれば、制御モジュールはモータ２２を駆動すると共に、優先的に第１バルブ７１ａを開放することによって、第１ノズルダクト３０ａに圧縮空気を供給する。また、同時に第１表示灯６０ａを点灯駆動する。
第１ノズルダクト３０ａのノズル３１を通じて圧縮空気を排出した後、一定時間経過すると、制御モジュールは第２バルブ７０ｂを開放すると共に、第２表示灯８０ｂを点灯駆動する。また、制御モジュールは第２バルブ７０ｂを開放した後には第１バルブ７０ａをゆっくり閉鎖させると共に、第１表示灯８０ａを消灯させる。
【００２０】
次いで、制御モジュールは、前述したことと同様の方法で、第３バルブ７０ｃを開放すると共に第３表示灯８０ｃを点灯駆動し、第２バルブ７０ｂをゆっくり閉鎖させると共に第２表示灯８０ｂを消灯させる。
そして、最後に、制御モジュールはモータ２２の駆動を停止させると共に第３バルブ７０ｃを閉鎖させ、第３表示灯８０ｃを消灯させることによって手の乾燥動作を完了する。
本実施形態では、第１ないし第３ノズルダクト３０ａ〜３０ｃに圧縮空気を順次に供給する方法を通じて、手乾燥部１１の内部に進入したユーザの手の上側から下側に順次圧縮空気を供給する。これにより、ユーザの手の水気を迅速で効率よく取れるようになる。
【００２１】
以上、本発明に関する好ましい実施形態を説明したが、本発明は前記実施形態に限定されず、本発明の属する技術範囲を逸脱しない範囲での全ての変更が含まれる。
【産業上の利用可能性】
【００２２】
本発明は、手を速やかに乾かすドライヤーに適用可能であり、特に手から吹き飛ばされた水滴を効率よく回収及び排出できるようになされたハンドドライヤーに適用可能である。
【符号の説明】
【００２３】
１０  本体
２０  駆動部
３０  ノズルダクト
４０  連結管
５０  表示部
６０  ＰＣＢ基板
７０  バルブ
８０  表示灯
【図１】
2011104377.tif 000003
【図２】
2011104377.tif 000004
【図３】
2011104377.tif 000005